(57)【要約】【課題】沿面距離を確保して安全性を維持でき、薄形化を図ることのできる電気集塵ユニットを提供することを目的とする。【解決手段】第２のフィルター７および第１のフィルター６が設けられるアース電極５を収納する収納枠３と、この収納枠３に第２のフィルター７とアース電極５を固定する押え枠８と、針状電極１を固定する格子枠２とを備え、格子枠２は収納枠３の連結され、押え枠８に当接しない構成とすることにより、沿面距離を確保して安全性を確保でき、薄形化を図ることのできる電気集塵ユニットを得られる。【選択図】図１
2006247441.tif 000002
【特許請求の範囲】
【請求項１】
第２のフィルターおよび、第１のフィルターが設けられたアース電極を収納する収納枠と、この収納枠に前記第２のフィルターとアース電極を固定する押え枠と、針状電極を固定する格子枠とを備え、前記格子枠は前記収納枠に連結され、前記押え枠に当接しない構成とした電気集塵ユニット。
【請求項２】
収納枠に設けた取手の根元部分に溝部を形成し、前記溝部に格子枠の端部を嵌入可能とした請求項１記載の電気集塵ユニット。
【請求項３】
収納枠の端部に設けた爪部と、この爪部が係合する係合孔を設けた格子枠とを備え、前記係合孔を包囲する包囲部を前記格子枠に設けた請求項１記載の電気集塵ユニット。
【請求項４】
押え枠に設けた通風用の開口部と、この開口部の全周を囲む包囲リブとを設けた請求項１記載の電気集塵ユニット。
【請求項５】
押え枠の開口部を形成する長手方向の一対のリブ間に張架される補強リブと、アース電極に設けた第１のフィルターの上面近傍まで切り欠いて設けられる切欠部とを備え、前記補強リブの下端部が前記切欠部の上端部に当接する構成とした請求項１記載の電気集塵ユニット。
【請求項６】
補強リブの断面形状を垂直に突出した押えリブと、この押えリブの頭部から左右に張り出し垂直に伸びた張り出しリブとにより形成した請求項５記載の電気集塵ユニット。
【発明の詳細な説明】
【技術分野】
【０００１】
本発明は、空気調和機等の空気流路を設け、空気調和される空気中に含まれる粉塵や臭気成分を除去する電気集塵ユニットに関する。
【背景技術】
【０００２】
従来、この種の電気集塵ユニットは針状の放電電極を設けたものが知られている（例えば、特許文献１参照）。
【０００３】
以下、その電気集塵ユニットについて図７を参照しながら説明する。
【０００４】
図に示すように、吸込口１０１および吹出口１０２を形成したフィルター枠１０３の吸込口１０１側に針状の放電電極１０４を設け、放電電極１０４と対向しフィルター枠１０３の吹出口１０２内にラスまたはパンチングメタルなどの通気可能なアース電極１０５を設け、アース電極１０５の風下側にフィルター１０６を設けフィルター装置１０７を形成し構成していた。
【特許文献１】特開２００３−１０７３１号公報（〔００１４〕、図１）
【発明の開示】
【発明が解決しようとする課題】
【０００５】
このような従来の電気集塵ユニットでは、針状の放電電極１０４先端はアース電極１０５に略平行な方向に向いており集塵性能が未だ不充分で薄形に形成できないという課題があり、沿面距離を確保して、薄形に形成することが要求されている。
【０００６】
本発明は、上記課題を解決するものであり、沿面距離を確保して安全性を保つことができ、薄形化を図ることのできる電気集塵ユニットを提供することを目的としている。
【課題を解決するための手段】
【０００７】
本発明の電気集塵ユニットは上記目的を達成するために、第２のフィルターおよび、第１のフィルターが設けられたアース電極を収納する収納枠と、この収納枠に前記第２のフィルターとアース電極を固定する押え枠と、針状電極を固定する格子枠とを備え、前記格子枠は、前記収納枠に連結され、前記押え枠に当接しない構成としたものである。
【０００８】
この手段により、空間距離および沿面距離を確保でき、安全性を保つことにより、薄形化を図ることのできる電気集塵ユニットが得られる。
【０００９】
また、他の手段は、収納枠に設けた取手の根元部分に溝部を形成し、前記溝部に格子枠の端部を嵌入可能としたものである。
【００１０】
この手段により、容易に組立てができる電気集塵ユニットが得られる。
【００１１】
また、他の手段は、収納枠の端部に設けた爪部と、この爪部が係合する係合孔を設けた格子枠とを備え、前記係合孔を包囲する包囲部を前記格子枠に設けたものである。
【００１２】
この手段により、リークの発生を防止することができる電気集塵ユニットが得られる。
【００１３】
また、他の手段は、押え枠に設けた通風用の開口部と、この開口部の全周を囲む包囲リブとを設けたものである。
【００１４】
この手段により、沿面距離を確保でき、安全性を保つことができる電気集塵ユニットが得られる。
【００１５】
また、他の手段は、押え枠の開口部を形成する長手方向の一対のリブ間に張架される補強リブと、アース電極に第１のフィルターの上面近傍まで切り欠いて設けられる切欠部とを備え、前記補強リブの下端部が前記切欠部の上端部に当接する構成としたものである。
【００１６】
この手段により、異常放電を抑制し安全性を確保できる電気集塵ユニットが得られる。
【００１７】
また、他の手段は、補強リブの断面形状を垂直に突出した押えリブと、この押えリブの頭部から左右に張り出し垂直に伸びた張り出しリブとにより構成したものである。
【００１８】
この手段により、リーク発生を防止し安全性を確保できる電気集塵ユニットが得られる。
【発明の効果】
【００１９】
本発明によれば、空間距離および沿面距離を確保でき、安全性を保つことにより、薄形化を図ることができるという効果のある電気集塵ユニットを提供できる。
【００２０】
また、容易に組立てができるという効果のある電気集塵ユニットを提供できる。
【００２１】
また、リーク発生を防止することができるという効果のある電気集塵ユニットを提供できる。
【００２２】
また、異常放電を抑制し安全性を確保できるという効果のある電気集塵ユニットを提供できる。
【発明を実施するための最良の形態】
【００２３】
本発明の請求項１記載の発明は、第２のフィルターおよび、第１のフィルターが設けられたアース電極を収納する収納枠と、この収納枠に前記第２のフィルターとアース電極を固定する押え枠と、針状電極を固定する格子枠とを備え、前記格子枠は前記収納枠に連結され、前記押え枠に当接しない構成としたものであり、アース電極を収納する収納枠と針状電極を設けた格子枠との間に、アース電極を固定する押え枠を追加することで収納枠に対し格子枠を近接して結合できる薄形構造としても、空間距離および沿面距離を確保でき、安全性を保つことができるという作用を有する。
【００２４】
また、請求項２記載の発明は、収納枠に設けた取手の根元部分に溝部を形成し、前記溝部に格子枠の端部を嵌入可能としたものであり、収納枠に格子枠の端部が嵌入する溝部を設けていることで、収納枠に格子枠を組合わせるときに、収納枠に設けた溝部がガイドの役目をして容易に組立てることができ、組立完了後は格子枠の外れを防止することがきるという作用を有する。
【００２５】
また、請求項３記載の発明は、収納枠の端部に設けた爪部と、この爪部が係合する係合孔を設けた格子枠とを備え、前記係合孔を包囲する包囲部を前記格子枠に設けたものであり、格子枠の接点部近傍に爪の係合孔が空いてしまうことにより、係合孔が風路となり埃が接点部を設けた集塵部内部に進入し、集塵部内部でリークが起ることとなるのを、係合孔を包囲する包囲部により埃の進入するのを防止することができ、集塵部内部でリークが起る可能性を防ぐことができ、また、収納部と格子部の結合後に外れ防止の役目をするという作用を有する。
【００２６】
また、請求項４記載の発明は、押え枠に設けた通風用の開口部と、この開口部の全周を囲む包囲リブを設けたものであり、押え枠により第２のフィルターおよび第１のフィルターを設けたアース電極の位置決めと固定を同時に行なうことができ、また、開口部の全周を包囲リブで囲むことにより押え枠の強度のアップを図ることができるとともに、沿面距離を確保でき、安全性の向上を図ることができるという作用を有する。
【００２７】
また、請求項５記載の発明は、押え枠の開口部を形成する長手方向の一対のリブ間に張架される補強リブと、アース電極に第１のフィルターの上面近傍までに切り欠いて設けられる切欠部とを備え、前記補強リブの下端部が前記切欠部の上端部に当接する構成としたものであり、押え枠の開口部に単数あるいは複数の補強リブを設けることにより、第２のフィルターおよび第１のフィルターを設けたアース電極の浮き上がるのが防止でき、異常放電を抑制し安全性を確保できるという作用を有する。
【００２８】
また、請求項６記載の発明は、補強リブの断面形状を垂直に突出した押えリブと、この押えリブの頭部から左右に張り出し垂直に伸びた張り出しリブとにより形成したものであり、第２のフィルターと、第１のフィルターを設けたアース電極を固定する押え枠が補強されるとともに、沿面距離を張り出しリブにて確保することで、リーク発生を防止し安全性を向上できるという作用を有する。
【００２９】
以下、本発明の実施の形態について図面を参照しながら説明する。
【００３０】
（実施の形態１）
図１〜図３に示すように、複数の針状電極１を固定した格子枠２と、この格子枠２が取り付けられる収納枠３と、この収納枠３に収納されるように平行電極４を設けたアース電極５と、このアース電極５の上流側に集塵機能を有する第１のフィルター６を設け、下流側に脱臭機能を有する第２のフィルター７を設けるように収納し、収納枠３に第１のフィルター６を設けたアース電極５と第２のフィルター７を固定する押え枠８を設け、押え枠８に格子枠２が当接しないように形成し、格子枠２は収納枠３に連結するように、収納枠３に設けた取手９の根元部分に溝部１０を形成し溝部１０に格子枠２の端部が嵌入可能とする。
【００３１】
また、収納枠３の端部に爪部１１を設け、爪部１１が係合する係合孔１２を格子枠２に設け、格子枠２に係合孔１２を包囲する包囲部１３を設け、押え枠８には通風用の開口部１４を形成し、開口部１４の全周に、全周を囲む包囲リブ１５を設けて構成する。
【００３２】
上記構成において、空気調和機（図示せず）などの空気流路に高電圧印加装置（図示せず）を介して取り付けた電気集塵ユニットに空気が流れると吸込口となる格子枠２に設けた針状電極１に印加されているマイナスの高電圧と、アース電極５により針状電極１の附近に大きな電界が形成される。
【００３３】
また、分離した電子が埃に付着して埃を帯電させ、帯電した埃粒子は粒子同志の緩衝を防ぎ、アース電極５の上流側に設けた第１のフィルター６により埃が捕集され、アース電極５の下流側に設けた第２のフィルター７に臭気成分が捕集されて脱臭されることとなる。
【００３４】
また、収納枠３とアース電極５および押え枠８と針状電極１を固定する格子枠２を設け、格子枠２は収納枠３に連結され、押え枠８に当接しないように構成されていることにより、収納枠３に対し、格子枠２を近接して結合できる薄形構造としても、空間距離および沿面距離を確保できることとなる。
【００３５】
また、収納枠３の取手９の根元部分の溝部１０を形成し、溝部１０に格子枠２の端部を嵌入固定することにより、収納枠３に格子枠２を組み合わせるときに、収納枠３に設けた溝部１０がガイドの役目をすることとなる。
【００３６】
また、収納枠３の端部に設けた爪部１１が係合する係合孔１２を格子枠２に設け、係合孔１２を包囲する包囲部１３を格子枠２に設けることにより、係合孔１２が風路となり埃が接点部を設けた集塵部の内部に侵入するのが防止でき、集塵部でリーク電流が発生するのを未然に防止することができる。
【００３７】
また、押え枠８に設けた通風用の開口部１４の全周を包囲リブ１５で囲むことにより、押え枠８により第２のフィルター７および第１のフィルター６を設けたアース電極５の位置決めと固定を同時に行なうことができ、また、開口部１４の全周を包囲リブ１５で囲むことにより、押え枠８の強度のアップを図ることができるとともに、沿面距離を確保することができる。
【００３８】
（実施の形態２）
図５および図６に示すように、押え枠８Ａの開口部１４Ａを形成する長手方向の一対のリブ１６間に張架される補強リブ１７と、アース電極５Ａに設けた第１のフィルター６Ａの上面近くまで切り欠いて設けられる切欠部１８を備え、補強リブ１７の下端部が切欠部１８の上端部に当接するように補強リブ１７の断面形状を垂直に突出した押えリブ１９と、押えリブ１９の頭部から左右に張り出し垂直に伸びた張り出しリブ２０とにより形成した構成とする。
【００３９】
上記構成において、押え枠８Ａの開口部１４Ａに単数あるいは複数の補強リブ１７を設けることにより、第２のフィルター７Ａおよび第１のフィルター６Ａを設けたアース電極５Ａの浮き上がるのが防止でき、異常放電を抑制することができる。
【００４０】
また、補強リブ１７の断面形状を押えリブ１９と張り出しリブ２０とにより形成したことにより、第２のフィルター７Ａと、第１のフィルター６Ａを設けたアース電極５Ａを固定する押え枠８Ａが補強されるとともに、沿面距離を張り出しリブ２０により確保することで、リークの発生を防止することができることとなる。
【産業上の利用可能性】
【００４１】
フィルターとアース電極を固定する押え枠を用いて薄形構造にして空気清浄機の用途にも適用できる。
【図面の簡単な説明】
【００４２】
【図１】本発明の実施の形態１の電気集塵ユニットの断面図
【図２】（ａ）同電気集塵ユニットの押え枠で押さえる状態を示す分解断面図（ｂ）同電気集塵ユニットの押え枠で押さえた状態を示す断面図
【図３】同電気集塵ユニットの格子枠の背面図
【図４】同電気集塵ユニットの包囲部の状態を示す部分断面図
【図５】本発明の実施の形態２の電気集塵ユニットの格子枠を外した状態の正面図
【図６】同電気集塵ユニットの補強リブの状態を示す断面図
【図７】従来の電気集塵ユニットの断面図
【符号の説明】
【００４３】
１    針状電極
２    格子枠
３    収納枠
５    アース電極
５Ａ  アース電極
６    第１のフィルター
６Ａ  第１のフィルター
７    第２のフィルター
８    押え枠
８Ａ  押え枠
９    取手
１０  溝部
１１  爪部
１２  係合孔
１３  包囲部
１４  開口部
１４Ａ  開口部
１５  包囲リブ
１６  リブ
１７  補強リブ
１８  切欠部
１９  押えリブ
２０  張り出しリブ
【図１】
2006247441.tif 000003
【図２】
2006247441.tif 000004
【図３】
2006247441.tif 000005
【図４】
2006247441.tif 000006
【図５】
2006247441.tif 000007
【図６】
2006247441.tif 000008
【図７】
2006247441.tif 000009